(57)【要約】    【課題】皺などを生じさせることなく、簡便かつ安定した状態でズボンなどの下衣を吊り下げることのできるハンガーを提供すること。    【解決手段】フック部を中央に設けた基体と、同基体の左右側部にそれぞれ基端を連設した一対の掛止体とを備え、同掛止体にズボンなどの下衣を掛止して吊下可能としたハンガーであって、前記各掛止体は、二股状に略平行に伸延して下衣のベルト通し部に挿通可能な所定長さの掛止部を有するとともに、左右の掛止部の先端同士が互いに対向状態に配設されていること構成とした。【選択図】      図１
2005021564.tif 000002
【特許請求の範囲】
【請求項１】
フック部を中央に設けた基体と、同基体の左右側部にそれぞれ基端を連設した一対の掛止体とを備え、同掛止体にズボンなどの下衣を掛止して吊下可能としたハンガーであって、
前記各掛止体は、二股状に略平行に伸延して下衣のベルト通し部に挿通可能な所定長さの掛止部を有するとともに、左右の掛止部の先端部同士が互いに対向状態に配設されていることを特徴とするハンガー。
【請求項２】
左右の掛止体は前記基体に一体的に連接され、しかも、前記フック部を通る仮想中心線に対して左右非対称位置に各々所定距離だけ離隔して設けられていることを特徴とする請求項１記載のハンガー。
【請求項３】
基体と左右の掛止体とを別体構成とし、前記掛止体の各基端を、前記基体に対して移動自在に取付けたことを特徴とする請求項１記載のハンガー。
【請求項４】
左右の掛止体を正面視略Ｌ字状に形成し、折曲部から先端にかけて伸延する部分を掛止部としたことを特徴とする請求項１〜３のいずれか１項に記載のハンガー。
【請求項５】
掛止部は、ベルト通し部からの脱落防止機能を有することを特徴とする請求項５記載のハンガー。
【請求項６】
左右の掛止体の各掛止部に挟持機能を付加したことを特徴とする請求項１〜５のいずれか１項に記載のハンガー。
【請求項７】
基体は、上衣を掛止して吊下可能な上衣掛止部として機能することを特徴とする請求項１〜６のいずれか１項に記載のハンガー。
【発明の詳細な説明】
【技術分野】
【０００１】
本発明は、ハンガーに関し、詳しくは、ズボン、スラックスなどの下衣を好適に吊り下げ可能なハンガーに関するものである。
【背景技術】
【０００２】
従来、ズボンなどに皺をつきにくくし、かつ洗濯した後に乾燥しやすくすることを目的としたハンガーがあった（例えば特許文献１を参照。）。
【０００３】
これは、フック部の下端から略くの字に延設して連結部及び掛止支持部を形成し、前記連結部先端から離間して並行配設させた一対の掛止杆を突出させて掛止支持部とした構成のハンガーであり、全体は金属線など折曲して形成した一体構成となっている。
【０００４】
そして、前記掛止支持部をズボンのベルト通し部に挿通して吊下するようにしていた。
【０００５】
また、ズボンのベルト通し部に引っ掛けて吊るすことができるハンガーとしては、ハンガー本体の両端下部にＵ字状の鉤を取付け、この鉤をベルと通し部に引っ掛けるように構成したものもあった（例えば特許文献２を参照。）。
【特許文献１】特開平１０−９４４７２号公報
【特許文献２】実開平７−２０９４９号公報
【発明の開示】
【発明が解決しようとする課題】
【０００６】
しかし、上記従来のハンガーは未だ下記の課題を残していた。
【０００７】
すなわち、特許文献１に記載されたハンガーは、フック部の下端から略くの字に延設して連結部及び掛止支持部を形成した片持ち構造なので、ズボンなどを吊り下げた場合の安定感が悪く、ズボンなどが掛止支持部上で一側に寄ってしまい、皺を生じるおそれがあった。特に、素材を金属線とした場合、ズボンなどの重さによっては掛止支持部の先端が下方へ開く傾向にあり、ズボンなどが先端側にずれてしまう可能性が高かった。
【０００８】
また、特許文献２に記載されたハンガーでは、ベルト通し部に挿通する部材を鉤としているので、ズボンの上部中央が下方へ垂れ下がって形崩れするので、外観的にもだらしなくなり、また長期にわたって吊るしていると形崩れにより皺が生じるおそれがあった。
【０００９】
本発明は、上記課題を解決することのできるハンガーを提供することを目的としている。
【課題を解決するための手段】
【００１０】
上記課題を解決するため、請求項１記載の本発明では、フック部を中央に設けた基体と、同基体の左右側部にそれぞれ基端を連設した一対の掛止体とを備え、同掛止体にズボンなどの下衣を掛止して吊下可能としたハンガーであって、前記各掛止体は、二股状に略平行に伸延して下衣のベルト通しに挿通可能な所定長さの掛止部を有するとともに、左右の掛止部の先端部同士が互いに対向状態に配設されていることとした。
【００１１】
請求項２記載の本発明では、左右の掛止体は前記基体に一体的に連接され、しかも、前記フック部を通る仮想中心線に対して左右非対称位置に各々所定距離だけ離隔して設けられていることとした。
【００１２】
また、請求項３記載の本発明では、前記基体と左右の掛止体とを別体構成とし、前記掛止体の各基端を、前記基体に対して移動自在に取付けた。
【００１３】
また、請求項４記載の本発明では、前記左右の掛止体を正面視略Ｌ字状に形成し、折曲部から先端にかけて伸延する部分を掛止部とした。
【００１４】
また、請求項５記載の本発明では、前記掛止部は、ベルト通し部からの脱落防止機能を有することとした。
【００１５】
また、請求項６記載の本発明では、前記左右の掛止体の各掛止部に挟持機能を付加した。
【００１６】
さらに、請求項７記載の本発明では、前記基体は、上衣を掛止して吊下可能な上衣掛止部として機能することとした。
【発明の効果】
【００１７】
（１）請求項１記載の本発明では、フック部を中央に設けた基体と、同基体の左右側部にそれぞれ基端を連設した一対の掛止体とを備え、同掛止体にズボンなどの下衣を掛止して吊下可能としたハンガーであって、前記各掛止体は、二股状に略平行に伸延して下衣のベルト通しに挿通可能な所定長さを有する掛止部を有するとともに、左右の掛止部の先端部同士が互いに対向状態に配設されている構成としたので、ズボンなどを中途で折り曲げたり、あるいは上下逆さまにすることなく、なおかつ一方に偏ったりすることなく自然で安定した状態で吊るすことができる。したがって、見た目にもすっきりと吊るすことができるとともに、皺を発生させるおそれがなく、またポケットなどの内収納物を落としたりすることもない。また、日常的な使用の他、クリーニング後の乾燥用にも本ハンガーを好適に用いることができ、洗い皺などを防止することができる。
【００１８】
（２）請求項２記載の本発明では、左右の掛止体は前記基体に一体的に連接され、しかも、前記フック部を通る仮想中心線に対して左右非対称位置に各々所定距離だけ離隔して設けられていることとしたので、通常左右対称位置とはならないベルト通し部の位置と掛止体の配置とが整合し、掛止部をベルト通し部に掛止部を通しやすくなるとともに、かつバランス良く吊り下げることができるようになる。
【００１９】
（３）請求項３記載の本発明では、前記基体と左右の掛止体とを別体構成とし、前記掛止体の各基端を、前記基体に対して移動自在に取付けたことにより、ズボンのサイズが異なっても（特にウエストのサイズが大きく異なる場合であっても）容易に対応可能となる。
【００２０】
（４）請求項４記載の本発明では、前記左右の掛止体を正面視略Ｌ字状に形成し、折曲部から先端にかけて伸延する部分を掛止部としたことにより、特に上述したように掛止体と基体とを別体構成として掛止体を移動自在に構成することが容易となる。
【００２１】
（５）請求項５記載の本発明では、前記掛止部は、ベルト通し部からの脱落防止機能を有することとしたので、ハンガーが揺れたりしても吊り下げた下衣がハンガーから脱落して落ちたりするおそれがない。
【００２２】
（６）請求項６記載の本発明では、前記左右の掛止体の各掛止部に挟持機能を付加したことにより、より確実に下衣を吊り下げることができるとともに、たとえベルト通し部のない下衣であっても、中途で折り曲げたり上下逆さまにすることなく吊り下げることができる。
【００２３】
（７）請求項７記載の本発明では、前記基体は、上衣を掛止して吊下可能な上衣掛止部として機能することとしたことにより、１つのハンガーで下衣のみならず上衣も同時に吊り下げることができる、利便性が高まる。
【発明を実施するための最良の形態】
【００２４】
本発明は、フック部を中央に設けた基体と、同基体の左右側部にそれぞれ基端を連設した一対の掛止体とを備え、同掛止体にズボンなどの下衣を掛止して吊下可能としたハンガーであって、前記各掛止体は、二股状に略平行に伸延して下衣のベルト通しに挿通可能な所定長さの掛止部を有するとともに、左右の掛止部の先端部同士が互いに対向状態に配設されているものである。
【００２５】
上記構成により、所定長さを有する掛止部をズボンなどのベルト通し部に挿通することで、ズボンなどを中途で折り曲げたり、あるいは上下逆さまにすることなく、なおかつ一方に偏ったりすることなく自然で安定した状態で吊るすことができる。したがって、皺を発生させるおそれがなく、またポケットなどの内収納物を落としたりすることもない。また、日常的な使用の他、クリーニング後の乾燥用にも本ハンガーを好適に用いることができ、洗い皺などを防止することができる。
【００２６】
本ハンガーのより具体的な構成の一例としては、左右の掛止体は前記基体に一体的に連接し、しかも、前記フック部を通る仮想中心線に対して左右非対称位置に各々所定距離だけ離隔して設けることができる。
【００２７】
ここで、前記掛止体を、フック部を通る仮想中心線に対して左右非対称となるように、各々所定距離だけ離隔して設けるというのは、例えばズボンをその折り目に沿って吊るそうとした場合、ベルト通し部の位置は、通常左右対称位置とはならないことから、掛止体の配置もそれに合わせることで、ベルト通し部に掛止部を通しやすくし、かつバランス良く吊り下げることができるようになる。
【００２８】
しかも、このように一対の掛止体を基体に一体的に連接したことで、合成樹脂などにより簡単に成形可能となって製造コストを抑えることができる。したがって、例えばクリーニング店や衣料品店などで、ハンガーを無償のサービス品として提供せざるを得ないような場合でも営業上の利益圧迫を回避することができる。
【００２９】
また、他の実施形態として、前記基体と左右の掛止体とを別体構成としてもよい。
【００３０】
この場合、前記掛止体の各基端を、前記基体に対して移動自在に取付けることが望ましい。
【００３１】
例えば、基体に掛止体をスライド可能としたレールのような構造を施すことにより、掛止体を所望する位置にセットできるようにすれば、ズボンのサイズが異なっても（特にウエストのサイズが大きく異なる場合であっても）容易に対応可能となる。
【００３２】
ところで、前記左右の掛止体は、基体との連接部分から先端部までの全体を並行に配設した２本の部材から構成することもできるが、基端部から下方へ伸延する略垂直部と、同垂直部の中途で略水平方向へ折曲した略水平部とからなる正面視略Ｌ字状に形成し、前記略水平部のみを二股状の掛止部としてもよい。かかる構成によれば、特に上述したように掛止体と基体とを別体構成として、掛止体を移動自在に構成することが容易となる。
【００３３】
上述してきたハンガーにおいて、前記掛止部は、ベルト通し部からの脱落防止機能を有する構造とすることができる。
【００３４】
かかる脱落防止機能を備えることで、ハンガーが揺れたりしても吊り下げた下衣がハンガーから脱落して落ちたりするおそれがない。
【００３５】
脱落防止機能としては、掛止部の先端を略Ｕ字状あるいは略Ｌ字状に折り返したり、掛止部そのものを先端にむけて上り勾配が形成されるような形状にしたりすることが考えられる。
【００３６】
また、前記左右の掛止体の各掛止部に挟持機能を付加することができ、この挟持機能が前記脱落防止機能となるようにしてもよい。挟持機能としては、具体的には洗濯バサミのようなクリップ式などで構わない。挟持機能を付加したハンガーであれば、ベルト通し部のない下衣であっても前述同様な姿勢で吊り下げることができる。
【００３７】
さらに、前記基体は、上衣を掛止して吊下可能な上衣掛止部として機能させることができる。すなわち、１つのハンガーで下衣のみならず上衣も同時に吊り下げることができる。
【００３８】
本実施形態では、吊り下げる下衣としてベルト通し部を備えたものを対象としているが、その場合、必ずしもズボン、スラックス、ジーンズなどである必要はなく、スカートなどであっても構わない。また、掛止体に挟持機能が付加されたものであれば、下衣にベルト通しが設けられていなくても安定した状態で吊り下げることは可能である。
【００３９】
以下、本発明の実施例について、図面を参照しながらより具体的に説明する。なお、各実施例において使用する符号は同一構成要素については同一符号を用いている。
【実施例１】
【００４０】
図１は第１実施例に係るハンガーの使用状態を示す説明図、図２は同ハンガーの斜視図、図３は同側面図である。
【００４１】
図示するように、第１実施例に係るハンガーＡは、フック部１１を中央に設けた基体１と、同基体１の左右側部にそれぞれ基端を連設した一対の掛止体２，２とを備え、同掛止体２，２にズボンなどの下衣Ｂを掛止して吊下可能としている。本実施の形態では、前記フック部１１を設けた基体１及び掛止体２，２を、合成樹脂材料により一体性形成し、前記基体１は、左右方向へそれぞれ下方勾配を有する山形形状とし、上衣Ｃを形崩れさせることなく無理なく掛止して吊下させることのできる上衣掛止部としている。
【００４２】
上記構成において、前記各掛止体２は、ズボンなどの下衣Ｂを間に挟めるだけの下衣装着用間隙２０ａが形成されるように、二股状に略平行に伸延して下衣Ｂのベルト通しＢ１に挿通可能とした所定長さの掛止部２０を有するとともに、左右の掛止部２０，２０の先端部２１，２１同士が互いに対向状態に配設されていることに特徴を有する。
【００４３】
本実施例における上記掛止体２は、図１に示すように、基端部から下方へ伸延する略垂直部２ａと、同垂直部２ａの中途で略水平方向へ折曲した所定長さを有する略水平部２ｂとからなる正面視略Ｌ字状に形成しており、前記略水平部２ｂのみを掛止部としている。
【００４４】
しかも、図１に示すように、前記基体１に一体的に連接した左右の掛止体２，２は、前記フック部１１を通る仮想中心線Ｌに対して左右非対称となるように各々所定距離ｄ１、ｄ２だけ前記仮想中心線Ｌから離隔した位置に設けている。
【００４５】
すなわち、ズボンなどの下衣Ｂを、その折り目に沿って吊るそうとした場合、ベルト通し部Ｂ１の位置は、前記仮想中心線Ｌに対しては、通常左右対称位置とはならない。そこで、一般の紳士用ズボン（下衣Ｂ）を折り目に沿って吊るした姿勢において、手前と裏側とで互いに重なるように対称位置に設けられているベルト通し部Ｂ１，Ｂ１（図３参照）に容易に挿通可能な位置として、ｄ１を１８〜２２ｃｍ、ｄ２を６〜１０ｃｍの範囲で設定するようにしている。なお、本実施例では、基体１の全長を４４ｃｍとするとともに、ｄ１を２０ｃｍ、ｄ２を８ｃｍとしている。
【００４６】
上記構成において、本実施例においては、前記水平部２ｂの所定長さとして３〜１２ｃｍの間で適宜設定するようにしている。特に、図１に一点鎖線で示したように、２つの掛止体２，２のうち、少なくとも一方の掛止体２では、前記水平部２ｂの長さを、前記数値範囲内で隣接する複数のベルト通し部Ｂ１に挿通可能な長さとすれば、下衣Ｂの上部中央が下方へ垂れ下がるような形崩れがなく、皺の発生を可及的に防止することができる。
【００４７】
また、掛止体２における前記掛止部２０は、ベルト通し部Ｂ１からの脱落防止機能を有する構造としている。本実施例においては、掛止部２０の先端を略Ｕ字状あるいは略Ｌ字状に折り返した折り返し部２２を形成し、これをベルト通し部Ｂ１からの脱落防止部としている。したがって、ハンガーＡが揺れたりしても吊り下げた下衣ＢがハンガーＡから脱落して落ちたりするおそれがない。
【００４８】
脱落防止部の変形例として、図４に示すような構成としてもよい。すなわち、図４（ａ）に示したものは、掛止部２０の先端を上方へ折曲しただけの折曲部２３を形成し、これを脱落防止部としている。また、図４（ｂ）に示したものは、掛止部２０を先端に向けて上り勾配となるようにし、掛止部２０全体が脱落防止機能を有するものとしている。なお、掛止部２０全体に脱落防止機能を付加する場合、図４（ｃ）に示すように掛止部２０を下方へ湾曲させた形状とすることもできる。
【００４９】
また、図４に示した変形例では、掛止部２０，２０を、前記フック部１１を通る仮想中心線Ｌに対して左右対称位置に形成しているが、かかる構成であっても掛止部２０の長さを適宜設定することにより、この掛止部２０，２０をそれぞれベルト通し部Ｂ１に挿通して下衣Ｂを吊下することができる。また、基体１は必ずしも下方勾配を有する山形形状とする必要はなく、図４（ａ），（ｂ）に示したように、水平に伸延させた形状としてもよい。
【００５０】
上記してきた構成により、左右の掛止部２０，２０の先端部２１，２１間に形成される適宜間隔を利用して、下衣Ｂを前記下衣装着用間隙２０ａに位置させながら、前記掛止部２０左右の掛止部２０，２０をそれぞれベルト通し部Ｂ１，Ｂ１に容易に挿通することができ、図１に示すようにズボンなどの下衣Ｂを上下逆さまにすることなく、かつ一方に偏ったりすることなく自然で安定した状態でバランス良く吊るすことができる。したがって、下衣Ｂに皺を発生させるおそれがなく、またポケットなどの内収納物を落としたりすることもない。特に、前記掛止部２０は、所定長さを有するので隣接する複数のベルト通し部Ｂ１に挿通可能であり、下衣Ｂの中心部が垂れ下がって形崩れしたりすることがない。また、前記折り返し部２２によって下衣Ｂが掛止部２０から脱落するおそれもない。
【００５１】
さらに、本実施例に係るハンガーＡは、合成樹脂などにより簡単に成形可能であり、製造コストを抑えることができることから、例えばクリーニング店や衣料品店などで無償のサービス品として提供することができる。このとき、図１に示すように、基体１の表面に広告スペース３を設けて店名などを表示することができる。
【００５２】
なお、変形例として、前記広告スペース３に代えて、図５（ａ）に示すようにくり抜き部４を形成し、ネクタイＤやベルトＥなどの帯状物を掛けて吊下可能としてもよい。このとき、くり抜き部４の底部に仕切り用凸部４０を形成して、掛止個所を仕切ることもできる。あるいは、図５（ｂ）に示すように、くり抜き部４の底部に溝部４１を形成し、この溝部４１内に防虫剤や防湿剤などを収納可能とすることもできる。
【００５３】
また、前記防虫剤や防湿剤などを収納するために、例えば図５（ｃ）に示すようにポケット部５を形成してもよい。
【００５４】
ところで、本実施例における前記左右の掛止体２，２は、図１に示すように、基体１との共通の連結部２ｃから二股状の２本の掛止部２０，２０を形成した構造としたが、図６に示すように、基体１の両面からそれぞれ独立した基体連結部２ｃ’が形成されて、これに掛止部２０が延設された構造であってもよい。
【実施例２】
【００５５】
図７に第２実施例に係るハンガーＡを示す。本実施例に係るハンガーＡは、前述の第１実施例と基本的には同じ構成を有するものであるが、図示するように、前記基体１と左右の掛止体２とを別体構成とした点が異なっている。
【００５６】
この場合、掛止体２の材料としては第１実施例同様に合成樹脂を用いてもよいが、針金などをビニルなどで被覆した金属製のものでもよい。
【００５７】
なお、本実施例２においても、第１実施例で示した変形例を適用することが可能である。
【００５８】
また、本実施例のように、基体１と左右の掛止体２とを別体構成とした場合、図８に示すように、掛止体２の各基端２５を基体１に対して移動自在に取付けることが望ましい。
【００５９】
すなわち、基体１に例えばレール構造（図示せず）を施して掛止体２を係合させることにより、掛止体２，２をスライド可能として所望する位置にセットできるように構成するものである。かかる構成によれば、ズボンなどの下衣Ｂのサイズが異なっても（特にウエストのサイズが大きく異なる場合であっても）容易に対応して吊下可能となる。
【実施例３】
【００６０】
図９に第３実施例に係るハンガーＡを示す。本実施例に係るハンガーＡは、前述の第１実施例と基本的には同じ構成を有するものであるが、図示するように、前記左右の掛止体２の各掛止部２０に挟持機能を付加した点が異なっている。
【００６１】
本実施例における挟持機能としては、図９に示すように、洗濯バサミのようなクリップ構造を採用し、掛止部２０，２０間にスプリング２６を介設してクリップ部２７を構成し、これにより下衣Ｂを挟持するようにしている。この場合の掛止体２は、フック部１１を中心に左右対称位置に設けてもよいし、あるいは、少なくとも一方の掛止体２を基体２に対して稼動自在に設けるとよい。
【００６２】
かかる挟持機能を有する掛止部２０，２０に下衣Ｂを吊るす場合、図１０（ａ）に示すように、掛止部２０をベルト通し部Ｂ１に挿通すればより確実であり、本実施例によれば、クリップ部２７による挟持機能が前記した脱落防止機能ともなる。
【００６３】
他方、図１０（ｂ）に示すように、ベルト通し部Ｂ１に挿通することなく、同ベルト通し部Ｂ１の上から挟持しても下衣Ｂを保持することは可能である。したがって、本実施例によれば、吊り下げる下衣Ｂとしては必ずしもベルト通し部Ｂ１を備えたものだけには限らず、図１１に示すように、ベルト通し部Ｂ１のないスカートなどであっても構わない。
【図面の簡単な説明】
【００６４】
【図１】第１実施例に係るハンガーの使用状態を示す説明図である。
【図２】同ハンガーの斜視図である。
【図３】同側面図である。
【図４】脱落防止部の変形例を示す説明図である。
【図５】ハンガーの変形例を示す説明図である。
【図６】掛止体の変形例を示す説明図である。
【図７】第２実施例に係るハンガーの斜視図である。
【図８】同ハンガーの変形例を示す説明図である。
【図９】第３実施例に係るハンガーの説明図である。
【図１０】同ハンガーの使用状態の一例を示す説明図である。
【図１１】同ハンガーの使用状態を一例を示す説明図である。
【符号の説明】
【００６５】
Ａ  ハンガー
Ｂ  下衣
Ｂ１  ベルト通し部
１  基体
２  掛止体
２０  掛止部
【図１】
2005021564.tif 000003
【図２】
2005021564.tif 000004
【図３】
2005021564.tif 000005
【図４】
2005021564.tif 000006
【図５】
2005021564.tif 000007
【図６】
2005021564.tif 000008
【図７】
2005021564.tif 000009
【図８】
2005021564.tif 000010
【図９】
2005021564.tif 000011
【図１０】
2005021564.tif 000012
【図１１】
2005021564.tif 000013